(57)【特許請求の範囲】
【請求項１】
ボールねじのねじ軸のボール溝を研磨テープで研磨するに際し、上記研磨テープを連続的又は間欠的に移送させるテープ移送機構と、該研磨テープを圧接ロールの外周面により折返移送案内して該研磨テープを該圧接ロールの外周面で該ねじ軸のボール溝に圧接させるテープ圧接機構と、該圧接ロールの回転軸線を該ボール溝のリード角に対応して傾斜配置させる傾斜機構と、該圧接ロールを該回転軸線方向に直線揺振動作させる直線揺振機構とを備えてなるテープヘッド部を上記ねじ軸の周方向略三等配位置に三組配設し、上記ねじ軸を回転自在に保持して該軸線を中心として回転させ、上記三組の各テープヘッド部の研磨テープを連続的又は間欠的に移送させ、該三組のテープヘッド部の各研磨テープを圧接ロールの外周面により折返移送案内して該研磨テープを該圧接ロールの外周面で該ねじ軸のボール溝に圧接させ、該各圧接ロールの回転軸線は該ボール溝のリード角に対応して傾斜配置され、該各圧接ロールを該回転軸線方向に直線揺振動作させ、該三組のテープヘッド部の各研磨テープを該ねじ軸の軸線方向に移動させ、該ねじ軸の回転速度と各研磨テープの移動速度とを該ボール溝のリードに対応して同期させ、上記ねじ軸の回転と、上記研磨テープの上記移送及び上記直線揺振動作と、該ねじ軸の回転速度に同期した各研磨テープの移動との複合動作を伴って、該三組のテープヘッド部の各研磨テープを該ねじ軸の半径方向から該ねじ軸の軸線に向けてボール溝に圧接して該ボール溝を各研磨テープで同時研磨することを特徴とするボールねじ研磨方法。
【請求項２】
ボールねじのねじ軸を回転自在に保持する保持機構と、該ねじ軸を該軸線を中心として回転させる回転機構と、該研磨テープを連続的又は間欠的に移送させるテープ移送機構、該研磨テープを圧接ロールの外周面により折返移送案内して該研磨テープを該圧接ロールの外周面で該ねじ軸のボール溝に圧接させるテープ圧接機構、該圧接ロールの回転軸線を該ボール溝のリード角に対応して傾斜配置させる傾斜機構及び該圧接ロールを該回転軸線方向に直線揺振動作させる直線揺振機構からなるテープヘッド部と、該テープヘッド部を該ねじ軸の軸線方向に移動させるテープヘッド移動機構と、該ねじ軸の回転速度と該研磨テープの移動速度とを該ボール溝のリードに対応して同期させる速度同期手段とを備えてなり、上記テープヘッド部を上記ねじ軸の周方向略三等配位置に三組配設し、該各テープヘッド部の研磨テープを該ねじ軸の半径方向から該ねじ軸の軸線に向けてボール溝に圧接して該ボール溝を各研磨テープで同時研磨することを特徴とするボールねじ研磨装置。
【請求項３】
上記直線揺振機構として、上記圧接ロールを該回転軸線方向に直線揺振動作させる偏心機構からなることを特徴とする請求項２記載のボールねじ研磨装置。
【請求項４】
上記速度同期手段として、上記ねじ軸を回転させる回転用制御モータ、上記研磨テープを移動させる移動用制御モータ、及び該回転用制御モータの回転速度と該移動用制御モータの回転速度とを同期制御する同期制御部からなることを特徴とする請求項２又は３記載のボールねじ研磨装置。
【発明の詳細な説明】
【技術分野】
【０００１】
本発明はボールねじのねじ軸のボール溝を研磨テープで研磨する際に用いられるボールねじ研磨方法及びその装置に関するものである。
【背景技術】
【０００２】
従来、この種のボールねじ研磨装置として、ねじ軸、ナット及びボールの各要素からなるボールねじのねじ軸のボール溝をバフブラシによるバフ処理で表面仕上げを行う構造のものが知られている。
【先行技術文献】
【特許文献】
【０００３】
【特許文献１】特開２００６−２２８４８
【発明の概要】
【発明が解決しようとする課題】
【０００４】
しかしながらこの従来構造の場合、ボールねじのねじ軸のボール溝はボールが転走する溝であるにもかかわらず、必ずしも、良好な表面あらさを得ることができないことがあるという不都合を有している。
【課題を解決するための手段】
【０００５】
本発明はこのような不都合を解決することを目的とするもので、本発明のうち、請求項１記載の方法の発明は、ボールねじのねじ軸のボール溝を研磨テープで研磨するに際し、上記研磨テープを連続的又は間欠的に移送させるテープ移送機構と、該研磨テープを圧接ロールの外周面により折返移送案内して該研磨テープを該圧接ロールの外周面で該ねじ軸のボール溝に圧接させるテープ圧接機構と、該圧接ロールの回転軸線を該ボール溝のリード角に対応して傾斜配置させる傾斜機構と、該圧接ロールを該回転軸線方向に直線揺振動作させる直線揺振機構とを備えてなるテープヘッド部を上記ねじ軸の周方向略三等配位置に三組配設し、上記ねじ軸を回転自在に保持して該軸線を中心として回転させ、上記三組の各テープヘッド部の研磨テープを連続的又は間欠的に移送させ、該三組のテープヘッド部の各研磨テープを圧接ロールの外周面により折返移送案内して該研磨テープを該圧接ロールの外周面で該ねじ軸のボール溝に圧接させ、該各圧接ロールの回転軸線は該ボール溝のリード角に対応して傾斜配置され、該各圧接ロールを該回転軸線方向に直線揺振動作させ、該三組のテープヘッド部の各研磨テープを該ねじ軸の軸線方向に移動させ、該ねじ軸の回転速度と各研磨テープの移動速度とを該ボール溝のリードに対応して同期させ、上記ねじ軸の回転と、上記研磨テープの上記移送及び上記直線揺振動作と、該ねじ軸の回転速度に同期した各研磨テープの移動との複合動作を伴って、該三組のテープヘッド部の各研磨テープを該ねじ軸の半径方向から該ねじ軸の軸線に向けてボール溝に圧接して該ボール溝を各研磨テープで同時研磨することを特徴とするボールねじ研磨方法にある。
【０００６】
又、請求項２記載の装置の発明は、ボールねじのねじ軸を回転自在に保持する保持機構と、該ねじ軸を該軸線を中心として回転させる回転機構と、該研磨テープを連続的又は間欠的に移送させるテープ移送機構、該研磨テープを圧接ロールの外周面により折返移送案内して該研磨テープを該圧接ロールの外周面で該ねじ軸のボール溝に圧接させるテープ圧接機構、該圧接ロールの回転軸線を該ボール溝のリード角に対応して傾斜配置させる傾斜機構及び該圧接ロールを該回転軸線方向に直線揺振動作させる直線揺振機構からなるテープヘッド部と、該テープヘッド部を該ねじ軸の軸線方向に移動させるテープヘッド移動機構と、該ねじ軸の回転速度と該研磨テープの移動速度とを該ボール溝のリードに対応して同期させる速度同期手段とを備えてなり、上記テープヘッド部を上記ねじ軸の周方向略三等配位置に三組配設し、該各テープヘッド部の研磨テープを該ねじ軸の半径方向から該ねじ軸の軸線に向けてボール溝に圧接して該ボール溝を各研磨テープで同時研磨することを特徴とするボールねじ研磨装置にある。
【０００７】
又、請求項３記載の発明は、上記直線揺振機構として、上記圧接ロールを該回転軸線方向に直線揺振動作させる偏心機構からなることを特徴とするものであり、又、請求項４記載の発明は、上記速度同期手段として、上記ねじ軸を回転させる回転用制御モータ、上記研磨テープを移動させる移動用制御モータ、及び該回転用制御モータの回転速度と該移動用制御モータの回転速度とを同期制御する同期制御部からなることを特徴とする請求項２又は３記載のボールねじ研磨装置にある。
【発明の効果】
【０００８】
本発明は上述の如く、請求項１及び２記載の発明にあっては、ボールねじのねじ軸を保持機構により回転自在に保持し、ねじ軸を回転機構により軸線を中心として回転させ、三組のテープヘッド部の各研磨テープをテープ移送機構により連続的又は間欠的に移送し、各研磨テープをテープ圧接機構により圧接ロールの外周面により折返移送案内して各研磨テープを圧接ロールの外周面でねじ軸のボール溝に圧接し、圧接ロールの回転軸線は傾斜機構によりボール溝のリード角に対応して傾斜配置され、直線揺振機構により圧接ロールを回転軸線方向に直線揺振動作させ、テープヘッド移動機構により各研磨テープをねじ軸の軸線方向に移動させ、速度同期手段によりねじ軸の回転速度と各研磨テープの移動速度とをボール溝のリードに対応して同期させ、ねじ軸の回転と、研磨テープの上記移送及び上記直線揺振動作と、ねじ軸の回転速度に同期した研磨テープの移動との複合動作を伴って、三組のテープヘッド部の各研磨テープをねじ軸の半径方向からねじ軸の軸線に向けてボール溝に圧接してボール溝を研磨テープで研磨することができ、ねじ軸の回転速度に同期した研磨テープの移動により研磨テープはボール溝のリードに合致して移動してテープ圧接機構により研磨テープはボール溝に確実に圧接され、研磨テープの連続的又は間欠的な移送及び研磨テープの移送直線揺振動作により研磨テープでボール溝を確実に研磨することができ、三組のテープヘッド部の各研磨テープをねじ軸の半径方向からねじ軸の軸線に向けてボール溝に圧接してボール溝を各研磨テープで同時研磨することができ、研磨テープの圧接によるねじ軸の軸線の芯ぶれを抑制することができて研磨精度を向上することができ、ボール溝の表面あらさを向上することができ、ボール溝の研磨作業性を向上することができる。
【０００９】
又、請求項３記載の発明にあっては、上記直線揺振機構として、上記圧接ロールを回転軸線方向に直線揺振動作させる偏心機構からなるので、構造を簡素化することができ、又、請求項４記載の発明にあっては、上記速度同期手段として、上記ねじ軸を回転させる回転用制御モータ、上記研磨テープを移動させる移動用制御モータ、及び回転用制御モータの回転速度と移動用制御モータの回転速度とを同期制御する同期制御部からなるので、ねじ軸の回転速度と研磨テープの移動速度とをボール溝のリードに対応して同期させることができ、研磨テープをボール溝のリードに合致して確実に接触移動させることができ、構造を簡素化することができると共に研磨精度を向上することができる。
【図面の簡単な説明】
【００１０】
【図１】本発明の実施形態例の全体平面図である。
【図２】本発明の実施の形態例の全体正面図である。
【図３】本発明の実施の形態例の部分側面図である。
【図４】本発明の実施の形態例の部分拡大平面図である。
【図５】本発明の実施の形態例の部分拡大側面図である。
【図６】本発明の実施の形態例の部分拡大平断面図である。
【図７】本発明の実施の形態例の部分拡大側断面図である。
【図８】本発明の実施の形態例の部分側断面図である。
【図９】本発明の実施の形態例の部分側断面図である。
【図１０】本発明の実施の形態例の部分正面図である。
【図１１】本発明の実施の形態例の説明部分平面図である。
【図１２】本発明の実施の形態例の説明拡大平面図である。
【図１３】本発明の実施の形態例の説明拡大側断面図である。
【発明を実施するための形態】
【００１１】
図１乃至図１３は本発明の実施の形態例であって、この場合、大別して、図１、図２、図３、図４、図５の如く、ボールねじのねじ軸Ｗを回転自在に保持する保持機構１と、ねじ軸Ｗを軸線Ｗ１を中心として回転させる回転機構２と、研磨テープＴを連続的又は間欠的に移送Ｔ１させるテープ移送機構３、研磨テープＴを回転Ｒ２自在な圧接ロールＲの外周面により折返移送案内して研磨テープＴを圧接ロールＲの外周面でねじ軸Ｗのボール溝Ｂに圧接させるテープ圧接機構４、圧接ロールＲの回転軸線Ｒ１をボール溝Ｂのリード角θに対応して傾斜配置させる傾斜機構５及び圧接ロールＲを回転軸線Ｒ１方向に直線揺振動作Ｙさせる直線揺振機構６からなるテープヘッド部７と、研磨テープＴをねじ軸Ｗの軸線Ｗ１方向に移動させるテープヘッド移動機構８と、ねじ軸Ｗの回転速度Ｑと研磨テープＴの移動速度Ｆとをボール溝ＢのリードＬ（ねじ軸Ｗが一回転したときに、ナットが軸方向に進む距離。）に対応して同期させる速度同期手段９とから構成され、そして、上記テープヘッド部７は三組のテープヘッド部７・７・７から構成され、三組のテープヘッド部７・７・７を上記ねじ軸Ｗの周方向略三等配位置に配設し、図１３中、α＝約１２０度の略等配で配置し、各テープヘッド部７・７・７の研磨テープＴ・Ｔ・Ｔをねじ軸Ｗの半径方向からねじ軸Ｗの軸線Ｗ１に向けてボール溝Ｂに圧接してボール溝Ｂを各研磨テープＴ・Ｔ・Ｔで同時研磨するようしている。
【００１２】
この場合、上記保持機構１及び上記回転機構２にあっては、図１、図２の如く、機体１ａに保持台１ｂを立設し、保持台１ｂにボールねじのねじ軸Ｗの一方端部を着脱保持可能なチャック１ｃを配設すると共にねじ軸Ｗの他方端部を回転保持可能な芯押し台１ｄを配設し、チャック１ｃを回転用制御モータ２ａにより回転させてねじ軸Ｗを回転させるように構成している。
【００１３】
この場合、図３の如く、上記三組のテープヘッド部７・７・７は上記ねじ軸Ｗの周方向略三等配位置にして単一個の移動ベース台Ｋに配設されている。
【００１４】
この場合、上記各テープ移送機構３にあっては、図１、図２、図３、図４、図５の如く、取付基台３ａ上に一対の支持軸３ｂ・３ｂにより未使用の研磨テープＴを巻回した満巻リール３ｃ及び空リール３ｄを回転自在に配設し、満巻リール３ｃから解いた研磨テープＴをテープ圧接機構４の圧接ロールＲの外周面を経て空リール３ｄに巻き付け、満巻リール３ｃは巻解用モータ３ｅにより巻き解き回転すると共に空リール３ｄは巻取用モータ３ｆにより巻き取り回転し、かつ、上記満巻リール３ｃと圧接ロールＲ、及び圧接ロールＲと上記空リール３ｄとの間に移送用モータ３ｇ・３ｇにより送り回転する移送ロール３ｈ・３ｈ及び挟圧ロール３ｉ・３ｉを配設し、巻解用モータ３ｅ、巻取用モータ３ｆ、移送用モータ３ｇ・３ｇの協動により研磨テープＴを満巻リール３ｃから圧接ロールＲを経て空リール３ｄへと比較的低速で連続的又は間欠的に移送Ｔ１するように構成している。
【００１５】
又、上記テープ圧接機構４にあっては、図４、図５の如く、上記取付基台３ａ上に取付台４ａを立設し、取付台４ａに上記直線揺振機構６を介して圧接台４ｂを配設し、圧接台４ｂに左右一対のシリンダ機構４ｃ・４ｃ及びこれに直交状にガイド軸４ｄ・４ｄにより進退部材４ｅを配設し、圧接台４ｂに左右一対のガイドロール４ｆ・４ｆを設けると共に進退部材４ｅに左右一対の案内ロール４ｇ・４ｇを設け、この左右一対の案内ロール４ｇ・４ｇの先方中間部分に上記圧接ロールＲを回転自在に配設し、研磨テープＴをガイドロール４ｆ・４ｆ、案内ロール４ｇ・４ｇ及び圧接ロールＲにより折返移送案内すると共にシリンダ機構４ｃ・４ｃにより研磨テープＴを圧接ロールＲの外周面でねじ軸Ｗのボール溝Ｂに圧接させるように構成している。
【００１６】
この場合、上記研磨テープＴは、ポリエステルフィルム、メタル、クロス等の基材に酸化アルミニュウム、酸化クロム、シリコンカーバイド、ダイヤモンド等の所定粒度の研磨粒子をコーティング又は結合してなる構造となっている。
【００１７】
また、上記直線揺振機構６にあっては、この場合、図５、図６、図７、図８の如く、偏心機構６ａが用いられ、上記取付台４ａに摺動部６ｂ・６ｂにより上記圧接台４ｂを上記ねじ軸Ｗの軸線Ｗ１方向に交差する上下方向に揺振摺動自在に配設し、取付台４ａに直線揺振用モータ６ｃを取り付け、取付台４ａに軸筒６ｄを回転自在に軸受けし、軸筒６ｄに直線揺振用モータ６ｃの主軸６ｅを取り付け、軸筒６ｄに主軸６ｅの回転軸線Ｏに対して偏心量εの偏心軸線Ｏ１をもつ偏心軸部６ｆを形成し、偏心軸部６ｆに玉軸受け状の偏心輪６ｇを回転自在に設け、圧接台４ｂに全体形状が溝形鋼状の駒部材６ｈを設け、駒部材６ｈのフランジ状部の内面に偏心輪６ｇが接する対向一対の接触面６ｉ・６ｉを形成し、直線揺振用モータ６ｃの駆動により偏心軸部６ｆ、偏心輪６ｇ、駒部材６ｈの接触面６ｉ・６ｉ及び摺動部６ｂ・６ｂで圧接ロールＲを回転軸線Ｒ１方向に直線揺振動作Ｙさせるように構成している。
【００１８】
又、上記テープヘッド移動機構８にあっては、図１、図２の如く、上記機体１ａに移動基台８ａを配設し、この移動基台８ａに摺動部８ｂにより摺動台８ｃをねじ軸Ｗの軸線Ｗ１方向に移動自在に配設し、摺動台８ｃに上記移動ベース台Ｋを取り付け、移動ベース台Ｋに三個の取付面部Ｋ１・Ｋ１・Ｋ１を形成し、三個の各取付面部Ｋ１・Ｋ１・Ｋ１に上記三組のテープヘッド部７・７・７をそれぞれ上記ねじ軸Ｗの周方向略三等配位置に配設し、各取付面部Ｋ１・Ｋ１・Ｋ１に各テープヘッド部７・７・７の上記傾斜機構５を介して上記テープ移送機構３の取付基台３ａを配設し、摺動台８ｃをねじ軸８ｄ、ナット８ｅからなるボールねじ機構８ｆ及び移動用制御モータ８ｇにより摺動台８ｃを介して研磨テープＴをねじ軸Ｗの軸線Ｗ１方向に移動させるように構成している。
【００１９】
又、上記傾斜機構５にあっては、図１、図２、図９、図１０の如く、上記摺動台８ｃ上に傾斜台５ａを支点軸５ｂによりねじ軸Ｗの軸線Ｗ１に対して傾斜自在に設けると共に連結ねじ５ｃ及び取付ナット５ｄからなる位置固定機構５ｅにより傾斜位置に位置固定可能に設け、傾斜台５ａ上に上記テープ移送機構３及びテープ圧接機構４を介して圧接ロールＲを配設し、傾斜機構５により圧接ロールＲの回転軸線Ｒ１をボール溝Ｂのリード角θに対応して傾斜配置させるように構成している。
【００２０】
又、上記速度同期手段９は、上記ねじ軸Ｗを回転させる回転用制御モータ２ａ、上記研磨テープＴを移動させる移動用制御モータ８ｇ、及び回転用制御モータ２ａの回転速度Ｑと移動用制御モータ８ｇの回転速度とを同期制御する同期制御部９ａからなり、同期制御部９ａは、具体的な回路構成等は省略しているが、例えばパソコン等が用いられ、ねじ軸Ｗの回転速度Ｑと研磨テープＴの移動速度Ｆとをボール溝ＢのリードＬに対応して同期させるように構成している。
【００２１】
この実施の形態例は上記構成であるから、図１、図２、図５、図１０、図１１の如く、ボールねじのねじ軸Ｗを保持機構１により回転自在に保持し、ねじ軸Ｗを回転機構２により軸線Ｗ１を中心として回転させ、三組のテープヘッド部７・７・７の研磨テープＴをテープ移送機構３により移送Ｔ１し、各研磨テープＴ・Ｔ・Ｔをテープ圧接機構４により回転Ｒ２自在な圧接ロールＲの外周面により折返移送案内して各研磨テープＴ・Ｔ・Ｔを圧接ロールＲの外周面でねじ軸Ｗのボール溝Ｂに圧接し、圧接ロールＲの回転軸線Ｒ１は傾斜機構５によりボール溝Ｂのリード角θに対応して傾斜配置され、直線揺振機構６により圧接ロールＲを回転軸線Ｒ１方向に直線揺振動作Ｙさせ、テープヘッド移動機構８により各研磨テープＴ・Ｔ・Ｔをねじ軸Ｗの軸線Ｗ１方向に移動させ、速度同期手段９によりねじ軸Ｗの回転速度Ｑと各研磨テープＴ・Ｔ・Ｔの移動速度Ｆとをボール溝ＢのリードＬに対応して同期させ、図１０、図１１、図１２、図１３の如く、ねじ軸Ｗの回転と、研磨テープＴの上記移送Ｔ１及び上記直線揺振動作Ｙと、ねじ軸Ｗの回転速度Ｑに同期した研磨テープＴの移動との複合動作を伴って、三組のテープヘッド部７・７・７の各研磨テープＴ・Ｔ・Ｔをねじ軸Ｗの半径方向からねじ軸Ｗの軸線Ｗ１に向けてボール溝Ｂに圧接してボール溝Ｂを研磨テープＴで研磨することができ、ねじ軸Ｗの回転速度Ｑに同期した研磨テープＴの移動により研磨テープＴはボール溝ＢのリードＬに合致して移動してテープ圧接機構４により研磨テープＴはボール溝Ｂに確実に圧接され、研磨テープＴの連続的又は間欠的な移送Ｔ１及び研磨テープＴの直線揺振動作Ｙにより研磨テープＴでボール溝Ｂを確実に研磨することができ、図１３の如く、三組のテープヘッド部７・７・７の各研磨テープＴ・Ｔ・Ｔをねじ軸Ｗの半径方向からねじ軸Ｗの軸線Ｗ１に向けてボール溝Ｂに圧接してボール溝Ｂを各研磨テープＴ・Ｔ・Ｔで同時研磨することができ、研磨テープＴ・Ｔ・Ｔの圧接によるねじ軸Ｗの軸線Ｗ１の芯ぶれを抑制することができて研磨精度を向上することができ、ボール溝Ｂの表面あらさを向上することができ、ボール溝Ｂの研磨作業性を向上することができる。
【００２２】
又、この場合、上記直線揺振機構６として、上記圧接ロールＲを回転軸線Ｒ１方向に直線揺振動作Ｙさせる偏心機構６ａからなるので、構造を簡素化することができ、又、この場合、上記速度同期手段９として、上記ねじ軸Ｗを回転させる回転用制御モータ２ａ、上記研磨テープＴを移動させる移動用制御モータ８ｇ、及び回転用制御モータ２ａの回転速度Ｑと移動用制御モータ８ｇの回転速度とを同期制御する同期制御部９ａからなるので、ねじ軸Ｗの回転速度Ｑと研磨テープＴの移動速度Ｆとをボール溝ＢのリードＬに対応して同期させることができ、研磨テープＴをボール溝ＢのリードＬに合致して確実に接触移動させることができ、構造を簡素化することができると共に研磨精度を向上することができる。
【００２３】
尚、本発明は上記実施の形態例に限られるものではなく、保持機構１、回転機構２、テープ移送機構３、テープ圧接機構４、傾斜機構５、直線揺振機構６、テープヘッド部７、テープヘッド移動機構８、速度同期手段９の構成等は適宜変更して設計されるものである。
【００２４】
例えば、上記実施の形態例においては、テープヘッド移動機構８として、単一個の移動ベース台Ｋに三組のテープヘッド部７・７・７をそれぞれ取り付け、三組のテープヘッド部７・７・７を一緒に移動させるように構成しているが、三組のテープヘッド部７・７・７をそれぞれ独立して移動させる構造を採用することもできる。
【００２５】
又、例えば、上記実施の形態例においては、乾式研磨構造としているが、ねじ軸Ｗのボール溝Ｂと研磨テープＴとの間に各種材質の遊離砥粒や化学剤を含む加工液体や潤滑剤を供給する所謂湿式研磨構造とすることもあり、又、速度同期手段９として旋盤の親ねじ機構に採用されている替歯車機構と同様な機械的な同期回転機構を採用することもあり、その他、ねじ軸Ｗの種類や研磨条件により選択して設計される。
【００２６】
以上、所期の目的を充分達成することができる。
【符号の説明】
【００２７】
Ｗ    ねじ軸
Ｗ１    軸線
Ｔ    研磨テープ
Ｔ１    移送
Ｒ    圧接ロール
Ｂ    ボール溝
Ｒ１    回転軸線
θ    リード角
Ｙ    直線揺振動作
Ｑ    回転速度
Ｆ    移動速度
Ｌ    リード
１    保持機構
２    回転機構
３    テープ移送機構
４    テープ圧接機構
５    傾斜機構
６    直線揺振機構
７    テープヘッド部
８    テープヘッド移動機構
９    速度同期手段
【図１】
0006044905.tif 000002
【図２】
0006044905.tif 000003
【図３】
0006044905.tif 000004
【図４】
0006044905.tif 000005
【図５】
0006044905.tif 000006
【図６】
0006044905.tif 000007
【図７】
0006044905.tif 000008
【図８】
0006044905.tif 000009
【図９】
0006044905.tif 000010
【図１０】
0006044905.tif 000011
【図１１】
0006044905.tif 000012
【図１２】
0006044905.tif 000013
【図１３】
0006044905.tif 000014